(57)【要約】【課題】  ネジ端子、突っ込み端子など端子台の仕様が異なる場合に容易に対応できるとともに、工作性の良い制御基板を得る。【解決手段】  この発明に係る制御基板においては、制御部５６を実装する制御部実装用プリント基板８と、コネクタ９と、を有する制御用基板７と、端子台３と入力回路部４および出力回路部５とを実装する脱着式端子台基板用プリント基板２と、コネクタ６と、を有する脱着式端子台基板１と、を備え、制御用基板コネクタ９と脱着式端子台基板コネクタ６とを接続するようにした。【選択図】        図１
2005142595.tif 000002
【特許請求の範囲】
【請求項１】
制御部と、この制御部を実装する制御部実装用プリント基板と、コネクタと、を有する制御用基板と、
端子台と、シンク仕様またはソ−ス仕様を選択する手段と、を実装する脱着式端子台基板用プリント基板と、コネクタと、を有する脱着式端子台基板と、
を備え、前記制御用基板コネクタと前記脱着式端子台基板コネクタとを接続することにより構成したことを特徴とする制御基板。
【発明の詳細な説明】
【技術分野】
【０００１】
この発明は制御機器の制御基板に関する。
【背景技術】
【０００２】
図８は従来の制御機器の制御基板を示す図である。図において、５１は制御基板、５２はプリント基板、５３は外部信号を接続する端子台、５４は入力回路部、５５は出力回路部、５６は制御部である。従来の制御機器の制御基板５１は、プリント基板５２上に端子台５３と入力回路部５４と出力回路部５５と制御部５６とが実装された一体のものであった。入力回路部５４は、外部信号を絶縁手段（図示せず）を介して制御部５６で処理可能な制御信号へ変換し、また出力回路部５５は制御部５６から出力された制御信号を絶縁手段（図示せず）を介して外部信号へ変換する。
【０００３】
図９は従来の制御機器の制御基板に実装される端子台を示す図である。図において、（ａ）は日本国内で標準に使用されているネジ端子用端子台であり、（ｂ）は欧州で標準に使用されている突っ込み端子用端子台である。
【０００４】
また、入力回路部５４，出力回路部５５という入出力回路部においても、シンク仕様／ソース仕様という２種類の入出力仕様がある。図１０は従来のシンク仕様の入出力回路部を示す図、図１１は従来のソース仕様入出力回路部を示す図である。
【０００５】
図１０において、入力１〜入力ｎは外部信号の入力端子、ＣＧは外部信号のコモン端子、出力１〜出力ｎは外部信号の出力端子、ＣＣＧは外部出力コモン端子、５２ａはプリント基板、５３は端子台、５４ａはシンク仕様の入力回路部、５５ａはシンク仕様の出力回路部、６１は抵抗、６２はフォトカプラ、６３は抵抗、６４はｎｐｎトランジスタ、６５は抵抗、６６はフォトカプラ、６７は抵抗である。
【０００６】
入力１〜入力ｎ、また出力１〜出力ｎは同様の機能であり、以下入力ｎ、また出力ｎで代表して説明する。
入力ｎは抵抗６１に接続され、抵抗６１の一方はフォトカプラ６２の入力ＬＥＤのカソ−ドに接続される。入力ｎ、ＣＧ間に外部信号が入力される（入力ｎとＣＧが短絡される）と、入力ｎから電流が流れ出し、フォトカプラ６２がオンする。
また、出力ｎはｎｐｎトランジスタ６４のコレクタとフォトカプラ６６の出力のコレクタに接続され、外部出力コモン端子ＣＣＧはｎｐｎトランジスタ６４のエミッタと抵抗６５に接続される。フォトカプラ６６のエミッタは抵抗６５の一方とｎｐｎトランジスタ６４のベースに接続される。
【０００７】
図１１において、Ｐ２４は外部信号の２４Ｖ端子、入力１〜入力ｎは外部信号の入力端子、Ｐ２４Ｇは外部出力２４Ｖ端子、出力１〜出力ｎは外部信号の出力端子、５２ｂはプリント基板、５３は端子台、５４ｂはソース仕様の入力回路部、５５ｂはソース仕様の出力回路部、７１は抵抗、７２はフォトカプラ、７３は抵抗、７４はｐｎｐトランジスタ、７５は抵抗、７６はフォトカプラ、７７は抵抗である。
【０００８】
入力１〜入力ｎ、また出力１〜出力ｎは同様の機能であり、以下入力ｎ、また出力ｎで代表して説明する。
入力ｎはフォトカプラ７２の入力ＬＥＤのアノ−ドに接続され、フォトカプラ７２の入力ＬＥＤのカソードは抵抗７１に接続される。抵抗７１の一方は２４Ｖのコモンに接続される。入力ｎとＰ２４間に外部信号が入力される（入力ｎとＰ２４間が短絡される）と電流が入力ｎへ流れ込み、フォトカプラ７２がオンして信号を伝える。
出力ｎはｐｎｐトランジスタ７４のコレクタとフォトカプラ７６の出力のエミッタに接続されている。外部出力２４Ｖ端子Ｐ２４Ｇは、ｐｎｐトランジスタ７４のエミッタと抵抗７５に接続され、抵抗７５の一方はフォトカプラ７６の出力のコレクタとｐｎｐトランジスタ７４のベ−スに接続されている。
【発明の開示】
【発明が解決しようとする課題】
【０００９】
各国で標準に使用されている端子は、日本国内ではネジ端子、欧州では突っ込み端子という様に異なるが、従来の制御基板は端子台と入力回路部と出力回路部と制御部とがプリント基板上に実装されて一体である制御基板であったため、ユーザーが端子台を自由に選択することができなかった。このため、例えば欧州で日本製の制御機器を輸入して使用する場合、端子台がネジ端子のために、普段使い慣れない圧着端子を準備し、配線しなければならないという問題点があった。
【００１０】
また、製造者側においても基板を組み立てる際、制御基板上の部品の面実装化が進んでいるが、端子台やリレーなどはＤＩＰ部品のため、面実装部品を自挿機で取付けた後、端子台やリレーなどを手挿入にて取付けねばならず、工程が増えるとなるという問題点があった。
【００１１】
また、制御部は共通であっても、入出力仕様について、シンク仕様／ソ−ス仕様との２種類があり、シンク仕様／ソ−ス仕様それぞれの制御基板を用意しなければならないという問題点があった。
【００１２】
さらに、各国で標準に使用されている端子台と入出力仕様との組み合わせとしては、日本国内ではネジ端子とシンク仕様との組み合わせ、欧州では突っ込み端子とソ−ス仕様との組み合わせであり、ネジ端子とシンク仕様とを組み合わせた制御基板、突っ込み端子とソ−ス仕様とを組み合わせた制御基板など組み合わせが異なる複数種類の制御基板を用意しなければならないという問題点があった。
【００１３】
さらにまた、各国の電源事情に合せて、制御部のプログラムの初期値を設定する必要がある場合、国内向けの初期値を記憶した制御基板と、欧州向けの初期値を記憶した制御基板といった、電源事情に対応した複数種類の制御基板を用意しなければならないという問題点があった。
【００１４】
この発明は、上述のような課題を解決するためになされたもので、第１の目的は、ネジ端子、突っ込み端子など端子台の仕様が異なる場合に容易に対応できるとともに、工作性の良い制御基板を得るものである。
【００１５】
また、第２の目的は、シンク仕様／ソ−ス仕様など入出力仕様が異なる場合に容易に対応できる制御基板を得るものである。
【００１６】
さらに、第３の目的は、端子台の仕様と入出力仕様との組み合わせに容易に対応できる制御基板を得るものである。
【課題を解決するための手段】
【００１７】
この発明に係る制御基板においては、制御部と、この制御部を実装する制御部実装用プリント基板と、コネクタと、を有する制御用基板と、端子台と、シンク仕様またはソ−ス仕様を選択する手段と、を実装する脱着式端子台基板用プリント基板と、コネクタと、を有する脱着式端子台基板と、を備え、前記制御用基板コネクタと前記脱着式端子台基板コネクタとを接続するようにしたものである。
【発明の効果】
【００１８】
この発明は、以上説明したように構成されているので、以下に示すような効果を奏する。
制御部と、この制御部を実装する制御部実装用プリント基板と、コネクタと、を有する制御用基板と、端子台と、シンク仕様またはソ−ス仕様を選択する手段と、を実装する脱着式端子台基板用プリント基板と、コネクタと、を有する脱着式端子台基板と、を備え、前記制御用基板コネクタと前記脱着式端子台基板コネクタとを接続するようにしたので、ネジ端子、突っ込み端子など端子台の仕様が異なる場合またはシンク仕様およびソ−ス仕様の入出力仕様が異なる場合に容易に対応できる制御基板を得ることができる。
【発明を実施するための最良の形態】
【００１９】
実施の形態１．
図１はこの発明の一実施の形態による脱着式端子台基板を使用した制御基板を示す図である。図において、１は脱着式端子台基板、２は脱着式端子台基板用プリント基板、３は端子台、４は入力回路部、５は出力回路部、６はコネクタであり、脱着式端子台基板１は脱着式端子台基板用プリント基板２上に端子台３、入力回路部４、出力回路部５およびコネクタ６を実装して構成される。入力回路部４は、外部信号を絶縁手段（図示せず）を介して制御部５６で処理可能な制御信号へ変換し、また出力回路部５は制御部５６から出力された制御信号を絶縁手段（図示せず）を介して外部信号へ変換する。また、７は制御用基板、８は制御部実装用プリント基板、９はコネクタである。制御用基板７と脱着式端子台基板１とをコネクタ９およびコネクタ６を介して接続することにより制御基板が構成される。
【００２０】
脱着式端子台基板用プリント基板２上に端子台３、入力回路部４、出力回路部５およびコネクタ６を実装するとともに、従来の制御基板に実装されていたＤＩＰ部品を全て脱着式端子台基板１側へ移動させることにより、制御用基板７の全ての部品の面実装が可能となり、制御用基板を自挿機で全て実装ができ、工作性を向上させることができる。
【００２１】
上述のように、制御用基板は１種類で脱着式端子台基板を、ネジ端子を備えた脱着式端子台基板または突っ込み端子を備えた脱着式端子台基板に変更することにより、ユーザが好みに応じて端子台の種類（ネジ端子／突っ込み端子）を容易に選択できる。また、脱着式端子台基板１上の入力回路部４、出力回路部５を制御用基板７へ移動させても、上述の目的を達成できることはいうまでもない。
【００２２】
図２はこの発明の一実施の形態によるシンク仕様の入出力回路部を備えた脱着式端子台基板を使用した制御基板を示す図である。図において、１，３，６，７，９，５６は図１と同様であり、その説明を省略する。２ａは脱着式端子台基板、４ａはシンク仕様の入力回路部、５ａはシンク仕様の出力回路部、８ａは制御用基板、１１は５Ｖ、１２は５Ｖ１１に対するコモン、１３は２４Ｖ、１４は２４Ｖ１３に対するコモン、１５は抵抗、１６はフォトカプラ、１７は抵抗、１８はｎｐｎトランジスタ、１９は抵抗、２０は抵抗である。ここで、５Ｖ１１、５Ｖ１１に対するコモン１２、２４Ｖ１３および２４Ｖ１３に対するコモン１４は、コネクタ６およびコネクタ９を介して制御用基板８ａから供給される。入力１〜入力ｎは外部信号の入力端子、ＣＧは外部信号のコモン端子、出力１〜出力ｎは外部出力端子、ＣＣＧは外部出力コモン端子で、端子台３に設けられている。
【００２３】
入力１〜入力ｎ、また出力１〜出力ｎは同様の機能であり、以下入力ｎ、また出力ｎで代表して説明する。
入力ｎは抵抗１５に接続され、抵抗１５の一方はフォトカプラ１６の入力ＬＥＤのカソ−ドに接続され、入力ＬＥＤのアノ−ドは２４Ｖ１３に接続される。フォトカプラ１６の出力のエミッタは５Ｖコモン１２に接続され、コレクタはコネクタ６に設けられた入力ｎ’に接続される。外部信号のコモン端子ＣＧは２４Ｖコモン１４に接続されている。入力ｎ’はコネクタ６およびコネクタ９を介して制御用基板８ａにおいて抵抗１７と制御部５６に接続され、抵抗１７の一方は５Ｖ１１に接続される。入力ｎとＣＧ間に外部信号が入力される（入力ｎとＣＧ間が短絡される）と電流が入力ｎから流れ出し、フォトカプラ１６がオンして制御部５６に信号を伝える。
【００２４】
出力ｎはｎｐｎトランジスタ１８のコレクタとフォトカプラ１６の出力のコレクタに接続されている。ＣＣＧはトランジスタ１８のエミッタと抵抗１９に接続されている。トランジスタ１８のベ−スはフォトカプラ１６の出力のエミッタと抵抗１９の一方に接続されている。フォトカプラ１６の入力ＬＥＤのアノ−ドは５Ｖ１３に接続され、カソ−ドはコネクタ６に設けられた出力ｎ’に接続される。出力ｎ’はコネクタ９を介して制御用基板８ａにおいて抵抗２０と制御部５６に接続される。制御部５６より出力ｎ’に信号０Ｖが出力されるとフォトカプラ１６がオンし、トランジスタ１８がオンし、出力ｎとＣＣＧ間が短絡される（出力される）。
【００２５】
図３はこの発明の一実施の形態によるソ−ス仕様の入出力回路部を備えた脱着式端子台基板を使用した制御基板を示す図である。図において、１，３，６，７，９，５６は図１と同様であり、その説明を省略する。２ｂは脱着式端子台基板、４ｂはソ−ス仕様の入力回路部、５ｂはシンク仕様の出力回路部、８ａは制御用基板、１１は５Ｖ、１２は５Ｖ１１に対するコモン、１３は２４Ｖ、１４は２４Ｖ１３に対するコモン、１５は抵抗、１６はフォトカプラ、１７は抵抗、１９は抵抗、２０は抵抗、２１はｐｎｐトランジスタである。ここで、５Ｖ１１、５Ｖ１１に対するコモン１２、２４Ｖ１３および２４Ｖ１３に対するコモン１４は、コネクタ６およびコネクタ９を介して制御用基板８ａから供給される。入力１〜入力ｎは外部信号の入力端子、Ｐ２４は外部信号の２４Ｖ端子、出力１〜出力ｎは外部出力端子、Ｐ２４Ｇは外部出力２４Ｖ端子で端子台３に設けられている。
【００２６】
入力１〜入力ｎ、また出力１〜出力ｎは同様の機能であり、以下入力ｎ、また出力ｎで代表して説明する。入力ｎは抵抗１５に接続され、抵抗１５の一方はフォトカプラ１６の入力ＬＥＤのアノ−ドに接続され、入力ＬＥＤのカソ−ドは２４Ｖコモン１４に接続される。フォトカプラ１６の出力のエミッタは５Ｖコモン１２に接続され、コレクタはコネクタ２に設けられた入力ｎ’に接続される。外部信号の２４Ｖ端子Ｐ２４は、２４Ｖ１３に接続されている。入力ｎ’はコネクタ６およびコネクタ９を介して制御用基板８ａにおいて抵抗１７と制御部５６に接続され、抵抗１７の一方は５Ｖ１１に接続される。入力ｎとＰ２４間に外部信号が入力される（入力ｎとＰ２４間が短絡される）と電流が入力ｎへ流れ込み、フォトカプラ１６がオンして入力ｎ’に信号を伝える。
【００２７】
出力ｎはｐｎｐトランジスタ２１のコレクタとフォトカプラ１６の出力のエミッタに接続されている。外部出力２４Ｖ端子Ｐ２４Ｇはトランジスタ２１のエミッタと抵抗１９に接続され、抵抗１９の一方はフォトカプラ１６の出力のコレクタとトランジスタ２１のベ−スに接続されている。フォトカプラ１６の入力ＬＥＤのアノ−ドは５Ｖ１３に接続され、カソ−ドはコネクタ６に設けられた出力ｎ’に接続される。出力ｎ’はコネクタ６およびコネクタ９を介して制御用基板８ａにおいて抵抗２０と制御部５６に接続される。制御部５６より出力ｎ’に信号０Ｖが出力されるとフォトカプラ１６がオンし、トランジスタ２１がオンし、出力ｎとＰ２４Ｇ間が短絡される（出力される）。
【００２８】
上述のように、制御用基板は１種類で脱着式端子台基板を、シンク仕様の入出力回路部を備えた脱着式端子台基板、またはソース仕様の入出力回路部を備えた脱着式端子台基板に変更することにより、ユーザが好みに応じて入出力仕様を容易に選択できる。
【００２９】
実施の形態２．
図４はこの発明の一実施の形態に係るシンク／ソース切り替え入出力回路部を備えた脱着式端子台基板を使用した制御基板を示す図である。図において、３，６，７，９，５６は図１と同様であり、その説明を省略する。２ｃは脱着式端子台基板、８ｂは制御用基板、１１は５Ｖ、１２は５Ｖ１１に対するコモン、１３は２４Ｖ、１４は２４Ｖ１３に対するコモン、１６はフォトカプラ、１７は抵抗、１８はｎｐｎトランジスタ、１９，２０は抵抗、２３は入力回路部、２４は出力回路部、２５，２６はダイオード、２７，２８はフォトカプラ駆動抵抗、２９，３０はゼロオーム抵抗、３１，３２，３３，３４はダイオード、３５，３６はゼロオーム抵抗である。ここで、５Ｖ１１、５Ｖ１１に対するコモン１２、２４Ｖ１３および２４Ｖ１３に対するコモン１４は、コネクタ６およびコネクタ９を介して制御用基板８ｂから供給される。
【００３０】
入力１〜入力ｎは外部信号の入力端子、Ｐ２４／ＣＧは外部信号の電源／コモン用端子、出力１〜出力ｎは外部出力端子、Ｐ２４Ｇ／ＣＣＧは外部出力電源／コモン用端子で端子台３に設けられている。入力１〜入力ｎ、また出力１〜出力ｎは同様の機能であり、以下入力ｎ、また出力ｎで代表して説明する。
【００３１】
入力回路部２３において、外部入力端子入力ｎはダイオード２５のアノード、ダイオード２６のカソードに接続される。ダイオード２５のカソードはフォトカプラ１６の入力ＬＥＤのアノ−ドとフォトカプラ駆動抵抗２７に接続され、駆動抵抗２７の一方は２４Ｖ１３とゼロオーム抵抗３０と他の入力回路部の駆動抵抗２７に接続され、ゼロオーム抵抗３０の一方は端子台３に設けられたＰ２４／ＣＧ端子に接続される。ダイオード２６のアノードはフォトカプラ１６の入力ＬＥＤのカソードとフォトカプラ駆動抵抗２８に接続され、駆動抵抗２８の一方は２４Ｖコモン１４とゼロオーム抵抗２９と他の入力回路部の駆動抵抗２８に接続され、ゼロオーム抵抗２９の一方はＰ２４／ＣＧ端子に接続される。フォトカプラ１６の出力のコレクタはコネクタ６に設けられた入力ｎ’接続され、エミッタは他の入力回路部のフォトカプラ１６のエミッタと５Ｖコモン１２に接続される。入力端子ｎ’はコネクタ６およびコネクタ９を介して制御用基板において負荷抵抗１７と制御部６へ接続される。
【００３２】
出力回路部２４において、外部出力端子出力ｎはダイオード３２のアノードとダイオード３３のカソードとゼロオーム抵抗３５、３６に接続される。ゼロオーム抵抗３５の一方はダイオード３２のカソードとダイオード３１のカソードとｎｐｎトランジスタのコレクタとフォトカプラ１６の出力のコレクタに接続される。ゼロオーム抵抗３６の一方はダイオード３３のアノードとダイオード３４のアノードとｎｐｎトランジスタのエミッタと抵抗１９とに接続される。Ｐ２４Ｇ／ＣＣＧは全ての出力回路部のダイオード３１のアノードとダイオード３４のカソードに接続される。トランジスタ１８のべ−スは抵抗１９の一方とフォトカプラ１６の出力のエミッタに接続される。フォトカプラ１６の入力ＬＥＤのアノ−ドは５Ｖ１１に接続され、カソ−ドはコネクタ６に設けられた出力ｎ’に接続される。出力ｎ’はコネクタ６およびコネクタ９を介して制御用基板において駆動抵抗２０に接続され、抵抗２０の一方は制御部５６に接続される。
【００３３】
図５はこの発明の一実施の形態に係るシンク仕様時の入出力回路を内蔵した脱着式端子台基板を使用した制御基板を示す図である。図において、３，６〜
９，１１〜１４，１６〜２０，２３〜２７，２９，３３〜３５、５６は、図４と同様であり、その説明を省略する。２ｄは脱着式端子台基板である。図５はシンク仕様時の部品を実装したものであり、図４の入出力回路部の全ての部品を実装した脱着式端子台基板から、フォトカプラ駆動抵抗２８、ゼロオーム抵抗３０、３６とダイオード３１、３２を実装しない場合と等価である。
【００３４】
入力１〜入力ｎ、また出力１〜出力ｎは同様の機能であり、以下入力ｎ、また出力ｎで代表して動作の説明する。
入力回路２３において、入力ｎとＣＧ間に外部信号が入力される（入力ｎとＰ２４／ＣＧ間が短絡される）と電流が２４Ｖ１３からフォトカプラ駆動抵抗２７、フォトカプラ１６の入力ＬＥＤ、ダイオ−ド２６を通って入力ｎから流れ出し、フォトカプラ１６がオンして入力ｎ’に信号を伝える。
出力回路部２４の場合は動作時、図４における入力回路部４ａと機能的に等価な回路が接続されることであるから、入力回路部４ａの入力ｎ端子と出力回路部２４の出力ｎが接続され、入力回路部４ａのＣＧ端子と出力回路部２４のＰ２４Ｇ／ＣＣＧ端子が接続される。制御部５６より信号が出力され出力回路部２４のトランジスタ１８がオンすると出力ｎ端子より電流が流れ込み、ゼロオーム抵抗３５、ｎｐｎトランジスタ１８、ダイオ−ド３４を通ってＰ２４Ｇ／ＣＣＧ端子より電流が流れ出す。
【００３５】
図６はこの発明の一実施の形態に係るソース仕様時の入出力回路部を内蔵した脱着式端子台基板を使用した制御基板を示す図である。図において、３，６〜９，１１〜１４，１６〜２０，２３〜２６，２８，３０〜３２、３６、５６は、図４と同様であり、その説明を省略する。２ｅは脱着式端子台基板である。図６はソース仕様時の部品を実装したものであり、図４の入出力回路部の全ての部品を実装した脱着式端子台基板から、フォトカプラ駆動抵抗２７、ゼロオーム抵抗２９、３５とダイオード３３、３４を実装しない場合と等価である。
【００３６】
入力１〜入力ｎ、また出力１〜出力ｎは同様の機能であり、以下入力ｎ、また出力ｎで代表して動作の説明する。
入力回路部２３において、入力ｎとＣＧ間に外部信号が入力される（入力ｎとＰ２４／ＣＧ間が短絡される）とＰ２４／ＣＧ端子から流れ出した電流が入力ｎ端子に流れ込み、ダイオード２５、フォトカプラ１６の入力ＬＥＤ、フォトカプラ駆動抵抗２８を流れる。これによりフォトカプラ１６がオンして入力ｎ’に信号を伝える。
出力回路部２４の場合は動作時、図５における入力回路部４ｂと機能的に等価な回路が接続されることであるから、入力回路部４ｂの入力ｎ端子と出力回路部２４の出力ｎが接続され、入力回路部４ｂのＰ２４端子と出力回路部２４のＰ２４Ｇ／ＣＣＧ端子が接続される。制御部５６より信号が出力され出力回路部２４のトランジスタ１８がオンするとＰ２４Ｇ／ＣＣＧ端子より電流が流れ込み、ダイオ−ド３１、ｎｐｎトランジスタ１８、ゼロオーム抵抗３６を通って出力ｎ端子より電流が流れ出す。
【００３７】
上述のように、制御用基板は１種類で脱着式端子台基板を、シンク仕様の入出力回路部を備えた脱着式端子台基板またはソース仕様の入出力回路部を備えた脱着式端子台基板に変更することができるので、製造者が１枚の端子台基板で入出力仕様のシンク仕様／ソース仕様の端子台基板の用意が容易となる。
【００３８】
また、図４の構成とすることにより、１種類の脱着式端子台基板で、上述の図５，図６に示すように抵抗、ダイオード等の部品の実装状態を変更することで、シンク仕様／ソース仕様との入出力仕様の切り換えができる。
【００３９】
実施の形態３．
図７はこの発明の一実施の形態に係る脱着式端子台基板を使用した制御基板を示す図である。図において、２ｆは脱着端子台基板、３は端子台、６はコネクタ、８ｃは制御用基板、９はコネクタ、３７はコネクタ６に設けられている端子台基板の識別信号、３８，３９は端子仕様または入出力仕様の少なくとも一つを識別するための識別用抵抗、５６ａは識別用抵抗３８，３９の接続状況を判断して端子仕様または入出力仕様を識別する制御部である。識別信号３７は制御用基板８ｃにおいてはコネクタ９から制御部５６ａへと接続され、脱着端子台基板２ｆ上ではコネクタ６から抵抗３８、抵抗３９に接続され、抵抗３８の一方は５Ｖ
１１に、抵抗３９の一方は５Ｖコモン１２に接続されている。
【００４０】
この実施の形態の制御基板は、脱着式端子台基板用プリント基板に、端子仕様または入出力仕様の少なくとも一つを識別する識別用抵抗を接続可能とし、制御部がこの識別用抵抗の接続状況を判断して端子仕様または入出力仕様を識別するようにしたものである。
【００４１】
脱着端子台基板２ｆの端子台３がネジ端子または入出力回路がシンク仕様の時は抵抗３８を実装し抵抗３９は実装しない。一方、脱着端子台基板２ｆの端子台３が突っ込み端子または入出力回路部がソース仕様の時は抵抗３９を実装し抵抗３８は実装しない。
【００４２】
次に動作の説明をする。識別信号３７が５Ｖの場合、制御部５６はネジ端子またはシンク仕様と識別し、０Ｖの場合は突っ込み端子またはソース仕様であると識別する。
【００４３】
一般に国内ではネジ端子台が使用され、入出力の仕様はシンク仕様である。一方、欧州では突っ込み端子が使用され、入出力の仕様はソースである。従って制御基板は脱着式端子台基板の仕様を識別信号３７により国内仕様か、欧州仕様か識別できる。
【００４４】
国内、欧州それぞれの電源事情に合せて制御部５６ａのプログラムの初期値を変更しなければならないが、上述の識別信号を用いることにより、脱着式端子台基板を切り替えた場合に、制御部５６ａで脱着式端子台基板の種類を判断して、電源事情にあったプログラムのデータの初期値を自動的に選択するので、自動的にプログラムのデ−タの初期値を国内または欧州の電源事情にあわせて変更でき、制御プログラムは１種類ですむ。
【産業上の利用可能性】
【００４５】
以上のように、この発明の制御基板は、ネジ端子、突っ込み端子など端子台の仕様が異なる場合、シンク仕様／ソ−ス仕様など入出力仕様が異なる場合、さらに端子台の仕様と入出力仕様との組み合わせに容易に対応できるので、端子台の仕様、入出力仕様が異なる海外向けに適している。
【図面の簡単な説明】
【００４６】
【図１】この発明の一実施の形態による脱着式端子台基板を使用した制御基板を示す図である。
【図２】この発明の一実施の形態によるシンク仕様の入出力回路部を備えた脱着式端子台基板を使用した制御基板を示す図である。
【図３】この発明の一実施の形態によるソ−ス仕様の入出力回路部を備えた脱着式端子台基板を使用した制御基板を示す図である。
【図４】この発明の一実施の形態に係るシンク／ソース切り替え入出力回路部を備えた脱着式端子台基板を使用した制御基板を示す図である。
【図５】この発明の一実施の形態に係るシンク仕様時の入出力回路部を内蔵した脱着式端子台基板を使用した制御基板を示す図である。
【図６】この発明の一実施の形態に係るソース仕様時の入出力回路部を内蔵した脱着式端子台基板を使用した制御基板を示す図である。
【図７】この発明の一実施の形態に係る脱着式端子台基板を使用した制御基板を示す図である。
【図８】従来の制御機器の制御基板を示す図である。
【図９】従来の制御機器の制御基板に実装される端子台を示す図である。
【図１０】従来のシンク仕様の入出力回路部を示す図である。
【図１１】従来のソース仕様入出力回路部を示す図である。
【符号の説明】
【００４７】
１  脱着式端子台基板、  ２，２ａ，２ｂ，２ｃ，２ｄ，２ｅ，２ｆ  脱着式端子台基板用プリント基板、  ３  端子台、  ４，４ａ，４ｂ  入力回路部、  ５，５ａ，５ｂ  出力回路部、  ６  コネクタ、  ７  制御用基板、  ８，８ａ，８ｃ  制御部実装用プリント基板、  ９  コネクタ、  １１  ５Ｖ、  １２  ５Ｖに対するコモン、  １３  ２４Ｖ、  １４  ２４Ｖに対するコモン、  １５  抵抗、  １６  フォトカプラ、  １７  抵抗、  １８  ｎｐｎトランジスタ、  １９  抵抗、  ２０  抵抗、  ２１  ｐｎｐトランジスタ、  ２３  入力回路部、  ２４  出力回路部、  ２５，２６  ダイオード、  ２７，２８  フォトカプラ駆動抵抗、  ２９，３０  ゼロオーム抵抗、  ３１，３２，３３，３４  ダイオード、  ３５，３６  ゼロオーム抵抗、  ３７  端子台基板の識別信号、  ３８，３９  識別用抵抗、  ５６，５６ａ  制御部。
【図１】
2005142595.tif 000003
【図２】
2005142595.tif 000004
【図３】
2005142595.tif 000005
【図４】
2005142595.tif 000006
【図５】
2005142595.tif 000007
【図６】
2005142595.tif 000008
【図７】
2005142595.tif 000009
【図８】
2005142595.tif 000010
【図９】
2005142595.tif 000011
【図１０】
2005142595.tif 000012
【図１１】
2005142595.tif 000013